(57)【要約】【課題】タッチセンサー付き表示デバイスによるマルチディスプレイにおいて、表示デバイスの画面に額縁部や間隙があると、各表示デバイス間でユーザインターフェースがシームレスに利用できないという問題を解決する表示装置を提供する。【解決手段】表示デバイス１１および１２のいずれかで検知された第１のタッチイベントが終了し、その後、別の表示デバイスで第２のタッチイベントが検知された場合、タッチセンサー制御部１３は、第１のタッチイベントおよび第２のタッチイベントが所定の条件を満たすと、第１のタッチイベントおよび第２のタッチイベントを、マルチディスプレイ画面に対する１つの仮想タッチイベントとして検知する。【選択図】図１
2012048485.tif 000002
【特許請求の範囲】
【請求項１】
複数の表示画面から構成されたマルチディスプレイ画面を有する表示装置であって、
前記表示画面のいずれかを有し、当該表示画面へのタッチイベントを検知する複数の表示デバイスと、
前記表示デバイスのいずれかで検知された第１のタッチイベントが終了し、その後、別の表示デバイスで第２のタッチイベントが検知された場合、前記第１のタッチイベントおよび前記第２のタッチイベントが所定の条件を満たすと、前記第１のタッチイベントおよび前記第２のタッチイベントを、前記マルチディスプレイ画面に対する１つの仮想タッチイベントとして検知し、前記第１のタッチイベントおよび前記第２のタッチイベントが前記所定の条件を満たさないと、前記第１のタッチイベントおよび前記第２のタッチイベントを、別々に前記マルチディスプレイ画面に対する仮想タッチイベントとして検知する制御部と、を有する表示装置。
【請求項２】
前記所定の条件は、前記第１のタッチイベントが終了してから所定時間内に前記第２のタッチイベントが検知されることを含む、請求項１に記載の表示装置。
【請求項３】
前記所定の条件は、前記第１のタッチイベントが終了した画面上の座標が、前記別の表示デバイスの表示画面に隣接する端辺から閾値までの範囲に入っていることを含む、請求項１または２に記載の表示装置。
【請求項４】
前記所定の条件は、前記第１のタッチイベントが検知された検知位置の軌跡ベクトルと、前記第１のタッチイベントの終了位置から前記第２のタッチイベントの開始位置までの仮想ベクトルとの類似度が所定値より高いことを含む、請求項１ないし３のいずれか１項に記載の表示装置。
【請求項５】
各表示デバイスは、同一の筐体に設けられる、請求項１ないし４のいずれか１項に記載の表示装置。
【請求項６】
前記筐体における前記表示画面とは異なる所定の位置へのタッチイベントである額縁タッチイベントを検知するタッチセンサーをさらに有し、
前記制御部は、前記第１のタッチイベントが終了してから、前記タッチセンサーが前記額縁タッチイベントの終了を検知した場合、前記第１のタッチイベントを前記仮想タッチイベントとして検知する、請求項５に記載の表示装置。
【請求項７】
各表示デバイスは、それぞれ異なる筐体に設けられる、請求項１ないし６のいずれか１項に記載の表示装置。
【請求項８】
請求項１ないし７のいずれか１項に記載の表示装置と、
前記仮想タッチイベントに応じた処理を行う情報処理部と、を有する情報処理装置。
【請求項９】
複数の表示画面から構成されたマルチディスプレイ画面を有する表示装置によるタッチイベント管理方法であって、
前記表示画面のいずれかに対する第１のタッチイベントを検知し、その後、別の表示画面に対する第２のタッチイベントを検知し、
前記第１のタッチイベントおよび前記第２のタッチイベントが所定の条件を満たすと、前記第１のタッチイベントおよび前記第２のタッチイベントを、前記マルチディスプレイ画面に対する１つの仮想タッチイベントとして検知し、
前記第１のタッチイベントおよび前記第２のタッチイベントが前記所定の条件を満たさないと、前記第１のタッチイベントおよび前記第２のタッチイベントを、別々に前記マルチディスプレイ画面に対する仮想タッチイベントとして検知する、タッチイベント管理方法。
【発明の詳細な説明】
【技術分野】
【０００１】
本発明は、指やスタイラスなどによるタッチイベントを検知するタッチセンサー付きの表示デバイス、情報処理装置およびタッチイベント管理方法に関する。
【背景技術】
【０００２】
近年、表示デバイスとして、指やスタイラスなどによるタッチイベント（接触または押下）を検知するタッチセンサーを用いた入力デバイスを備えるタッチセンサー付き表示デバイスが注目されている（特許文献１および２参照）。
【０００３】
タッチセンサー付き表示デバイスは、アイコンなどの対象物に対してドラッグ操作を行って対象物を移動させたり、書籍をめくるようなフリック動作を行ってページを移動させたりするなど、直感的なユーザインターフェースを提供しやすいという利点がある。このため、タッチセンサー付き表示デバイスは、マルチメディアビューアー、電子書籍および電子新聞などの紙に代わる表示媒体として用いられたり、携帯電話、情報端末およびカーナビなどの電子機器などの表示装置に採用されたりすることが多くなっている。
【０００４】
また、表示デバイスの利用形態として、複数の表示デバイスのそれぞれの画面を近接させて配置することで、大きな１つの画面（以下、マルチディスプレイ画面と称する）を構成し、そのマルチディスプレイ画面に映像を表示するマルチディスプレイが注目されている。
【先行技術文献】
【特許文献】
【０００５】
【特許文献１】特開２００８‐５２０６２号公報
【特許文献２】特開２００２‐２８７８８９号公報
【発明の概要】
【発明が解決しようとする課題】
【０００６】
タッチセンサー付き表示デバイスでマルチディスプレイを構成する場合、複数の表示デバイス間で、ユーザインターフェースがシームレスに利用できることが望ましい。例えば、ある表示デバイスで開始されたドラッグ操作やフリック操作などのタッチ操作が別の表示デバイスに移っても継続されることが望ましい。
【０００７】
しかしながら、各表示デバイスの画面の間に額縁部や間隙があると、その額縁や間隙ではタッチイベントが検知されないので、単一の表示デバイス内でタッチイベントが完結してしまい、各表示デバイス間でユーザインターフェースがシームレスに利用できないという問題がある。
【０００８】
本発明の目的は、上記の課題である、タッチセンサー付き表示デバイスによるマルチディスプレイにおいて、表示デバイスの画面に額縁部や間隙があると、各表示デバイス間でユーザインターフェースがシームレスに利用できないという問題を解決する表示装置、情報処理装置およびタッチイベント管理方法を提供することである。
【課題を解決するための手段】
【０００９】
本発明による表示装置は、複数の表示画面から構成されたマルチディスプレイ画面を有する表示装置であって、前記表示画面のいずれかを有し、当該表示画面へのタッチイベントを検知する複数の表示デバイスと、前記表示デバイスのいずれかで検知された第１のタッチイベントが終了し、その後、別の表示デバイスで第２のタッチイベントが検知された場合、前記第１のタッチイベントおよび前記第２のタッチイベントが所定の条件を満たすと、前記第１のタッチイベントおよび前記第２のタッチイベントを、前記マルチディスプレイ画面に対する１つの仮想タッチイベントとして検知し、前記第１のタッチイベントおよび前記第２のタッチイベントが前記所定の条件を満たさないと、前記第１のタッチイベントおよび前記第２のタッチイベントを、別々に前記マルチディスプレイ画面に対する仮想タッチイベントとして検知する制御部と、を有する。
【００１０】
また、本発明による情報処理装置は、前記表示装置と、前記仮想タッチイベントに応じた処理を行う情報処理部と、を有する。
【００１１】
また、本発明によるタッチイベント管理方法は、複数の表示画面から構成されたマルチディスプレイ画面を有する表示装置によるタッチイベント管理方法であって、前記表示画面のいずれかに対する第１のタッチイベントを検知し、その後、別の表示画面に対する第２のタッチイベントを検知し、前記第１のタッチイベントおよび前記第２のタッチイベントが所定の条件を満たすと、前記第１のタッチイベントおよび前記第２のタッチイベントを、前記マルチディスプレイ画面に対する１つの仮想タッチイベントとして検知し、前記第１のタッチイベントおよび前記第２のタッチイベントが前記所定の条件を満たさないと、前記第１のタッチイベントおよび前記第２のタッチイベントを、別々に前記マルチディスプレイ画面に対する仮想タッチイベントとして検知する。
【発明の効果】
【００１２】
本発明によれば、タッチセンサー付き表示デバイスによるマルチディスプレイにおいて、表示デバイスの画面に額縁部や間隙があっても、各表示デバイス間でユーザインターフェースをシームレスに利用することが可能になる。
【図面の簡単な説明】
【００１３】
【図１】本発明の第一の実施形態である情報処理装置の構成を示すブロック図である。
【図２】左右に並んで配置された２台の表示デバイスを有する表示装置の概観を示す正面図である。
【図３Ａ】表示装置の動作の一例を説明するためのシーケンスチャートである。
【図３Ｂ】表示装置の動作の一例を説明するためのシーケンスチャートである。
【図４】表示装置の動作の概要を説明するための図である。
【図５】本発明の第二の実施形態である情報処理装置の構成を示すブロック図である。
【発明を実施するための形態】
【００１４】
以下、本発明の実施形態について図面を参照して説明する。なお、以下の説明では、同じ機能を有するものには同じ符号を付け、その説明を省略する場合がある。
【００１５】
図１は、本発明の第一の実施形態である情報処理装置の構成を示すブロック図である。図１において、情報処理装置は、表示装置１と、表示装置１の外部機器として機能する情報処理部２とを有する。表示装置１は、タッチイベントを検知するタッチセンサー付き表示デバイス（以下、表示デバイスと略す）１１および１２と、タッチセンサー制御部１３と、外部通信部１４と、表示装置用バス１５とを有する。なお、表示デバイス１１、１２、タッチセンサー制御部１３および外部通信部１４は、表示装置用バス１５を介して相互に接続されている。
【００１６】
以下では説明を簡素化するために、表示装置１は左右に並んで配置された２台の表示デバイスを有するものとするが、実際には、表示装置１が有する表示デバイスは複数あればよく、その表示デバイスの設置場所は任意である。
【００１７】
図２は、左右に並んで配置された２台の表示デバイスを有する表示装置１の概観を示す正面図である。図２で示された表示装置１では、表示デバイス１１および１２は、サブ筐体２１および２２が接続部２３によって開閉可能に接続された筐体２０に設けられている。より具体的には、サブ筐体２１に表示デバイス１１が設けられ、サブ筐体２２に表示デバイス１２が設けられており、各表示デバイス１１および１２の画面３１および３２は筐体２０から露出している。なお、表示デバイスが３つ以上ある場合、筐体２０は、表示デバイスの少なくともいずれか１つを有する複数のサブ筐体が接続部によって接続された構成でもよい。
【００１８】
接続部２３は、ヒンジ機構などによって構成される。また、表示デバイスの画面３１および３２の周辺には、表示が行われず、かつ、タッチイベントが検知されない額縁部２４が設けられている。なお、接続部２３は額縁部２４に含まれるものである。
【００１９】
ここで、表示装置１のタッチセンサー制御部１３、外部通信部１４および表示装置用バス１５は筐体２０に内蔵されており、情報処理部２は、筐体２０に内蔵されてもよいし、筐体２０に内蔵されなくてもよい。
【００２０】
図１の説明に戻る。表示デバイス１１および１２は、自身の画面に文章、静止画像および動画像などの種々の情報を表示する。また、表示デバイス１１および１２は、自身の画面へのユーザからのタッチイベントを検知する。
【００２１】
タッチセンサー制御部１３は、表示デバイス１１および１２のタッチセンサーを制御する装置であり、表示デバイス１１および１２の両方のタッチセンサーを合わせて、一つの大きな仮想タッチセンサーとして情報処理部２に認識させることで、画面３１および３２の両方を合わせて一つのマルチディスプレイ画面として情報処理部２に認識させる。
【００２２】
例えば、表示デバイス１１および１２の両方のタッチセンサー（画面）が３２０×２４０の解像度を有する場合、左側の表示デバイス１１のタッチセンサーの水平ピクセル番号を０〜３１９とみなし、右側の表示デバイス１２の水平ピクセル番号を３２０〜６３９とみなすことで、表示デバイス１１および１２の両方のタッチセンサーを一つの仮想タッチセンサーとして情報処理部２に認識させる。
【００２３】
また、タッチセンサー制御部１３は、ユーザが画面３１または３２に対するタッチを、タッチイベントが検知できない額縁部２４に対して継続した場合でも、タッチイベントが失効しないようにする機能を有する。
【００２４】
より具体的には、タッチセンサー制御部１３は、表示デバイス１１および１２のいずれか一方で検知された第１のタッチイベントが終了し、その後、所定時間内に別の表示デバイスで第２のタッチイベントが検知された場合、第１のタッチイベントおよび第２のタッチイベントが所定の条件を満たすか否かを判断する。
【００２５】
所定の条件は、第１のタッチイベントが終了してから所定時間内に第２のタッチイベントが検知されること、第１のタッチイベントが終了した画面上の座標が別の表示デバイスの画面に隣接する端辺から閾値までの範囲に入っていること、および、第１のタッチイベントが検知された検知位置の軌跡ベクトルと第１のタッチイベントの終了位置から第２のタッチイベントの開始位置までの仮想ベクトルとの類似度が所定値より高いことの少なくとも一つである。ここで、軌跡ベクトルと仮想ベクトルとの類似度は、例えば、軌跡ベクトルと仮想ベクトルのなす角の余弦である。
【００２６】
第１のタッチイベントおよび第２のタッチイベントが所定の条件を満たす場合、タッチセンサー制御部１３は、第１のタッチイベントおよび第２のタッチイベントをマルチディスプレイ画面に対する１つの仮想タッチイベントとして検知する。一方、第１のタッチイベントおよび第２のタッチイベントが所定の条件を満たさない場合、タッチセンサー制御部１３は、第１のタッチイベントおよび第２のタッチイベントを別々にマルチディスプレイ画面に対する仮想タッチイベントとして検知する。
【００２７】
なお、タッチセンサー制御部１３は、本実施形態では、２つのタッチセンサーを制御しているが、実際には、３つ以上のタッチセンサーを制御することができる。
【００２８】
外部通信部１４は、外部通信用バス１６を介して情報処理部２と接続されている。外部通信部１４は、タッチセンサー制御部１３で検知された仮想タッチイベントを、外部通信用バス１６を介して情報処理部２に通知する。
【００２９】
情報処理部２は、外部通信部１４から通知された仮想タッチイベントに応じた処理を行う。
【００３０】
次に表示装置１の動作を説明する。
【００３１】
図３Ａおよび図３Ｂは、表示装置１の動作の一例を説明するためのシーケンスチャートである。以下では、図４に示すように、表示デバイス１１の画面３１に表示されているアイコン４１に対してドラッグ操作が行われ、そのドラッグ操作が表示デバイス１２に継続されるものとする。
【００３２】
先ず、ユーザは、表示デバイス１１の画面３１に表示されているアイコン４１にタッチする（ステップＡ１）。
【００３３】
表示デバイス１１は、ユーザにてタッチされたことをタッチイベントの一種である押下イベントとして検知し、そのタッチイベントが検知された検知位置の画面３１上の座標であるタッチ座標と、自身（表示デバイス１１）の識別情報であるディスプレイ番号とをタッチセンサー制御部１３に通知する(ステップＡ２)。以下では、ディスプレイ番号は、表示デバイス１１を「１」とし、表示デバイス１２を「２」とする。
【００３４】
タッチセンサー制御部１３は、タッチ座標およびディスプレイ番号を受け付けると、そのタッチ座標をマルチディスプレイ画面上の座標である仮想座標に変換する。例えば、タッチセンサー制御部１３は、タッチ座標の横方向成分にディスプレイ番号を乗算した値を仮想座標の横方向成分とし、タッチ座標の縦方向成分をそのまま仮想座標の縦方向成分とすることで、仮想座標を算出する。ここでは、ディスプレイ番号が「１」であるので、タッチ座標がそのまま仮想座標となる。
【００３５】
タッチセンサー制御部１３は、後で仮想座標の軌跡ベクトルを計算するために、仮想座標を保持する(ステップＡ３)。
【００３６】
そして、タッチセンサー制御部１３は、仮想座標と、マルチディスプレイ画面への押下イベントであるＭｏｕｓｅＤｏｗｎイベントとを外部通信部１４に通知する(ステップＡ４)。
【００３７】
外部通信部１４は、仮想座標およびＭｏｕｓｅＤｏｗｎイベントを受け付け、その仮想座標およびＭｏｕｓｅＤｏｗｎイベントを情報処理部２に通知する(ステップＡ５)。
【００３８】
次に、ユーザはステップＡ１でタッチしたアイコン４１に対してドラッグ操作を行う(ステップＡ６)。
【００３９】
表示デバイス１１は、ドラッグ操作により検知位置が移動したことをタッチイベントの一種である移動イベントとして検知し、その移動後のタッチ座標とディスプレイ番号とをタッチセンサー制御部１３に通知する(ステップＡ７)。
【００４０】
タッチセンサー制御部１３は、タッチ座標およびディスプレイ番号を受け付けると、そのタッチ座標をマルチディスプレイ画面上の座標である仮想座標に変換する(ステップＡ８)。
【００４１】
タッチセンサー制御部１３は、仮想座標を保持するとともに、その現在の仮想座標と前回保持した仮想座標から軌跡ベクトルを計算し保持する(ステップＡ９)。
【００４２】
そして、タッチセンサー制御部１３は、現在の仮想座標と、仮想座標の移動イベントであるＭｏｕｓｅＭｏｖｅイベントとを外部通信部１４に通知する(ステップＡ１０)。
【００４３】
外部通信部１４は、仮想座標およびＭｏｕｓｅＭｏｖｅイベントを受け付け、その仮想座標およびＭｏｕｓｅＭｏｖｅイベントを情報処理部２に通知する(ステップＡ１１)。
【００４４】
その後、ユーザによるドラッグ操作が行われている間、ステップＡ６〜Ａ１１が繰り返し実行される。そして、ユーザの指が画面３１の右端付近に到達し、ユーザの指が画面３１から外れる(ステップＡ１２)。
【００４５】
表示デバイス１１は、ユーザの指が画面３１から外れたことをタッチ終了イベントとして検知し、ユーザからのタッチが終了したときのタッチ座標である終了座標とディスプレイ番号とをタッチセンサー制御部１３に通知する(ステップＡ１３)。
【００４６】
タッチセンサー制御部１３は、終了座標およびディスプレイ番号を受け付けると、ＭｏｕｓｅＭｏｖｅイベントの継続可能性があるか否かを判断する。例えば、終了座標が画面３１における画面３２と隣接する端辺である右端から閾値（例えば、１０ピクセル）までの範囲に入っているか否かを判断し、終了座標がその範囲に入っている場合に、ＭｏｕｓｅＭｏｖｅイベントの継続可能性があると判断する。
【００４７】
ＭｏｕｓｅＭｏｖｅイベントの継続可能性がある場合、タッチセンサー制御部１３は、マルチディスプレイ画面に対するタッチ終了イベントの送信を行わずに、終了座標と現在時刻を保持する(ステップＡ１４)。
【００４８】
次にユーザの指が額縁部２４を押しながら移動して表示デバイス１２の左端にタッチする（ステップＡ１５）。
【００４９】
表示デバイス１２は、ユーザにてタッチされたことをタッチイベントとして検知し、そのタッチイベントが検知された検知位置の画面３２上の座標であるタッチ座標と、自身（表示デバイス１２）のディスプレイ番号とをタッチセンサー制御部１３に通知する（ステップＡ１６）。
【００５０】
ここで、タッチセンサー制御部１３は、ステップＡ１１でＭｏｕｓｅＭｏｖｅイベントの継続可能性があると判断しているので、表示デバイス１２のタッチイベントが、ステップＡ１３にて終了した表示デバイス１１のタッチイベントの継続イベントであるか否かを判断する。
【００５１】
例えば、タッチセンサー制御部１３は、ステップＡ１４で保持した時刻から現在時刻までの経過時間が所定時間内か否かと、ステップＡ９で計算した軌跡ベクトルと、表示デバイス１１にてタッチが終了した終了座標から表示デバイス１２にてタッチが開始されたタッチ座標までの仮想ベクトルとの類似度が所定値より高いか否かを判断する。
【００５２】
ここでは、経過時間が所定時間内であり、かつ、類似度が所定値より高いとする。この場合、タッチセンサー制御部１３は、表示デバイス１２のタッチイベントが継続イベントであると判断する（ステップＡ１７）。
【００５３】
タッチセンサー制御部１３は、仮想座標を保持するとともに、その現在の仮想座標と前回保持した仮想座標から軌跡ベクトルを計算し保持する(ステップＡ１８)。
【００５４】
タッチセンサー制御部１３は、現在の仮想座標と、仮想座標の移動イベントであるＭｏｕｓｅＭｏｖｅイベントとを外部通信部１４に通知する(ステップＡ１９)。
【００５５】
外部通信部１４は、仮想座標およびＭｏｕｓｅＭｏｖｅイベントを受け付け、その仮想座標およびＭｏｕｓｅＭｏｖｅイベントを情報処理部２に通知する(ステップＡ２０)。
【００５６】
その後、ユーザは画面３２の中央付近までドラッグ操作を行う。このときの表示装置１の動作は、ステップＡ７〜Ａ１１において表示デバイス１１を表示デバイス１２に変更すればよいので、詳細な説明は省略する。
【００５７】
次に、ユーザの指が表示デバイス１２の画面３２から外れる（ステップＡ２１）。
【００５８】
表示デバイス１２は、ユーザの指が画面３２から外れたことをタッチ終了イベントとして検知し、ユーザからのタッチが終了したときのタッチ座標である終了座標とディスプレイ番号とをタッチセンサー制御部１３に通知する(ステップＡ２２)。
【００５９】
タッチセンサー制御部１３は、終了座標およびディスプレイ番号を受け付けると、ＭｏｕｓｅＭｏｖｅイベントの継続可能性があるか否かを判断する。ここでは、画面３２の中央付近でユーザの指が画面３２から外れているので、終了座標が画面３２における画面３１と隣接する端辺である左端から閾値までの範囲に入っていないものとする。この場合、タッチセンサー制御部１３は、ＭｏｕｓｅＭｏｖｅイベントの継続可能性がないと判断して、タッチ終了イベントであるＭｏｕｓｅＵｐイベントと、終了座標とを外部通信部１４に通知する(ステップＡ２３)。
【００６０】
次に、本実施形態の効果について説明する。
【００６１】
本実施形態によれば、表示デバイス１１および１２のいずれかで検知された第１のタッチイベントが終了し、その後、別の表示デバイスで第２のタッチイベントが検知された場合、タッチセンサー制御部１３は、第１のタッチイベントおよび第２のタッチイベントが所定の条件を満たすと、第１のタッチイベントおよび第２のタッチイベントを、マルチディスプレイ画面に対する１つの仮想タッチイベントとして検知し、第１のタッチイベントおよび第２のタッチイベントが前記所定の条件を満たさないと、第１のタッチイベントおよび第２のタッチイベントを、別々にマルチディスプレイ画面に対する仮想タッチイベントとして検知する。
【００６２】
このため、第１のタッチイベントおよび第２のタッチイベントが所定の条件を満たせば、第１のタッチイベントおよび第２のタッチイベントが１つの仮想タッチイベントとして検知されることとなり、タッチセンサー付き表示デバイスによるマルチディスプレイにおいて、表示デバイスの画面に額縁部や間隙があっても、各表示デバイス間でユーザインターフェースをシームレスに利用することが可能になる。
【００６３】
次に第２の実施形態について説明する。
【００６４】
図５は、本発明の第２の実施形態である情報処理装置の構成を示すブロック図である。図５において、情報処理装置は、図１で示した構成に加えて、タッチセンサー１７をさらに有する。
【００６５】
タッチセンサー１７は、額縁部２４の所定の位置へのタッチイベントである額縁タッチイベントを検知する。所定の位置は、画面３１および３２の間が望ましく、例えば、接続部２３の位置である。
【００６６】
タッチセンサー制御部１３は、画面３１および３２のいずれかで検知された第１のタッチイベントが終了してから、タッチセンサー１７にて額縁タッチイベントが検知され、その後、額縁タッチイベントの終了が検知されると、第１のタッチイベントを仮想タッチイベントとして検知する。
【００６７】
本実施形態によれば、接続部２３の位置で指を離すことで、タッチイベントを終了することが出来るので、仮想タッチセンサーデバイスの動作を一枚のセンサーデバイスの動作により近づけることができる。
【００６８】
次に第３の実施形態について説明する。
【００６９】
本実施形態の情報処理装置は、表示デバイス１１および１２がそれぞれ異なる端末装置（筐体）に設けられているものである。この場合、情報処理部２、タッチセンサー制御部１３および外部通信部１４は、端末装置のいずれかに内蔵されていてもよいし、端末装置とは別の装置に内蔵されていてもよい。また、表示装置用バス１５は、ＴＣＰ/ＩＰ網などのネットワークでもよい。
【００７０】
ユーザが端末装置を組み合わせた場合、ユーザによって端末装置間の配置が決定されるので、端末装置間の距離がタッチセンサー制御部１３に設定されることで、タッチセンサー制御部１３は、表示デバイス１１および１２間の距離を把握することができる。なお、端末装置間の距離は、ユーザがタッチセンサー制御部１３に設定してもよいし、端末装置に他の端末装置までの距離を検知できるセンサが設けられていれば、タッチセンサー制御部１３がそのセンサの検知結果に基づいてその距離を自身に設定してもよい。
【００７１】
タッチセンサー制御部１３は、第１のタッチイベントの検知位置の移動速度と、設定されている距離とから所定時間を算出するなど、第１のタッチイベントの検知位置の軌跡ベクトルだけでなく、その移動速度や端末間の距離などに応じて、第２のタッチイベントが第１のタッチイベントの継続イベントか否かを判断してもよい。
【００７２】
以上説明した各実施形態において、図示した構成は単なる一例であって、本発明はその構成に限定されるものではない。
【符号の説明】
【００７３】
１        表示装置
２        情報処理部
１１、１２  タッチセンサー付き表示デバイス
１３      タッチセンサー制御部
１４      外部通信部
１５      表示装置用バス
１６      外部通信用バス
１７      タッチセンサー
２０      筐体
２１、２２  サブ筐体
２３      接続部
３１、３２  画面
【図１】
2012048485.tif 000003
【図２】
2012048485.tif 000004
【図３Ａ】
2012048485.tif 000005
【図３Ｂ】
2012048485.tif 000006
【図４】
2012048485.tif 000007
【図５】
2012048485.tif 000008